(57)【特許請求の範囲】
【請求項１】
インフレータと、該インフレータから噴出するガスをダクトを介して複数のチャンバに供給することにより車室側面に沿って膨張展開するクッション部とを備えたカーテンエアバッグにおいて、
前記インフレータが噴出したガスを前記ダクトに導くインナーバッグをさらに備え、
前記インナーバッグは、前記インフレータが挿入され、かつ該インフレータのガス噴出口から出たガスを導くほぼ筒状の第１ガス導入部と、該第１ガス導入部を通ってきたガスを前記ダクトに導く両端が開口したほぼ筒状の第２ガス導入部とを有し、
前記クッション部のダクトには開口部が設けられていて、
前記インナーバッグは前記開口部に差し込んで取り付けられていて、前記第１ガス導入部の主要部は前記開口部の外側に配置され、前記第２ガス導入部の主要部は前記開口部の内側に配置され、
前記インナーバッグの側面であって、前記第１ガス導入部と前記第２ガス導入部のほぼ中間部分に、前記ダクトの長手方向とほぼ平行に該インナーバッグから突出するリブ状の縫い代を設け、
前記縫い代と前記クッション部を縫製することによって、前記インナーバッグを前記クッション部に接合していることを特徴とするカーテンエアバッグ。
【請求項２】
前記縫い代は、前記第２ガス導入部の側面に設けられていることを特徴とする請求項１に記載のカーテンエアバッグ。
【請求項３】
前記縫い代は、前記インナーバッグの両側の側面に一対設けられることを特徴とする請求項１または請求項２に記載のカーテンエアバッグ。
【請求項４】
前記一対の縫い代は、前記インナーバッグの側面方向に投影した場合に、少なくとも一部が重なることを特徴とする請求項３に記載のカーテンエアバッグ。
【請求項５】
前記一対の縫い代は、前記インナーバッグの側面方向に投影した場合にほぼ重なることを特徴とする請求項４に記載のカーテンエアバッグ。
【請求項６】
前記クッション部の開口部近傍に、前記インナーバッグの縫い代と対応するタブ状の被縫製部を設けたことを特徴とする請求項２から請求項５のいずれか１項に記載のカーテンエアバッグ。
【請求項７】
前記開口部は、前記クッション部においてダクトおよびチャンバを設けるための外周縫製の一部に縫製しない部分を設けることにより形成されていて、
前記インナーバッグの第１ガス導入部と第２ガス導入部を区分する縫製は、前記クッション部においてダクトおよびチャンバを設けるための外周縫製の一部として為されることを特徴とする請求項１から請求項６のいずれか１項に記載のカーテンエアバッグ。
【請求項８】
前記開口部は、前記クッション部を構成する２枚の基布のうち、一方の基布のダクトの位置にスリットを形成することにより設けられていることを特徴とする請求項１から請求項６のいずれか１項に記載のカーテンエアバッグ。
【発明の詳細な説明】
【技術分野】
【０００１】
本発明は、ダクトとチャンバを設けたクッション部とこれを膨張展開させるインフレータとを備えたカーテンエアバッグに関する。
【背景技術】
【０００２】
近年、車両には高い安全性が求められている。この傾向は世界各国に共通していて、現在では世界各国でエアバッグが車両の安全装置としてほぼ標準装備されている。そして、車両開発に関係する事業者ではさらなる安全性向上が重要な開発テーマとして掲げられていて、これに伴って日々新たなエアバッグが開発されている。
【０００３】
エアバッグは運転席のハンドルや助手席のインパネから膨張展開するものはもちろんのこと、側突の際の衝撃を緩和するためのサイドエアバッグ、乗員が窓に衝突したり車外に放出されたりすることを防止するためのカーテンエアバッグ、インパネ下部から膨張展開するニーエアバッグなど、様々なものが提供されている。
【０００４】
上記のようなエアバッグの中で、カーテンエアバッグは、ルーフライニングの中に巻回または折りたたまれて収納されていて、車両の側面の窓を覆うように上方から下方に向かって膨張展開する。このようにカーテンエアバッグは、他のエアバッグに比べても保護すべき面積が広く、かつ収納スペースが限られている。そこでカーテンエアバッグのクッション部では、車両前後方向（長尺方向）に連通するダクトと、このダクトにそれぞれ連通する複数のチャンバ（室）に分けた構成が主流である。これにより、まずダクトによって車両前後方向にガスを導き、次に各チャンバにガスを導いて、全体的に膨張展開させている。
【０００５】
一方、インフレータは金属製の円筒状の外殻を有し、通常は側面にガス噴出口が設けられている。インフレータは、当然にガス噴出口がクッション部内に配置されるようにクッション部に取り付けられるが、電装系と接続する必要から一端がクッション部から露出している。上記したようにカーテンエアバッグは細長いスペースであるルーフライニングの中に収納されるため、ダクトの方向とインフレータの軸方向が一致し、したがってガス噴出口の方向とダクトの方向は直交する。これでは噴出されたガスがダクト内に円滑に進行することが困難なため、クッション部内にインフレータから噴出したガスをダクトに向かって導くガイド（インナーバッグ）を設ける場合がある。
【０００６】
特許文献１には、エアバッグのガス導入路に、基布を折り重ねなどして筒状に形成した導管部（インナーバッグに相当する）が説明されている。特許文献１では、この導管部はエアバッグ本体とは別体となっていて、外周縫製部に共縫いなどして位置決めされている（特許文献１の段落００２６、図２参照）。特許文献１にはこれ以上の説明はないが、このようなガスを導くためのガイドを設けることにより、インフレータから噴出したガスをダクトに向かって円滑に導くことができる。
【０００７】
なお、特許文献１ではエアバッグとインナーバッグとを外周縫製によって接合している。接合するための他の手段としては、エアバッグに設けた筒状のガス導入路に、インナーバッグとインフレータを挿入し、環状のリングでかしめて共締めする構成もよく採用される。
【先行技術文献】
【特許文献】
【０００８】
【特許文献１】特開２００６−１２３７００号公報
【発明の概要】
【発明が解決しようとする課題】
【０００９】
インフレータを接続する部分はほぼ筒状とする必要があるため、クッション部から筒状の突出部を設ける必要がある。ここで、上記の特許文献１ではエアバッグ（クッション部）の端部にインフレータを接続しているが、近年ではガスの円滑な進行を考慮して、エアバッグのほぼ中央にインフレータを接続する場合が多い。これに伴い、エアバッグのほぼ中央に、突出部を設ける必要がある。
【００１０】
クッション部は大きな基布から切り出した２枚の基布を縫い合わせることによって製作する。このとき、上記のように突出部が存在するとネスティング（母材における部材のレイアウト）の効率が悪く、取れる部品が少なくなり、生産効率が低下する（歩留まりが悪くなる）という問題がある。
【００１１】
またクッション部はＯＰＷ（One-Piece Woven）を用いて紡織により袋状に形成する場合もある。しかしこの場合にも上記のような突出部があると、他のクッション部との組み合わせが悪化するために歩留まりが悪化し、無駄なスペースが生まれるため生産効率が向上しにくい原因となっている。
【００１２】
一方、クッション部内にインナーバッグを取り付けると、確かにガスをダクトに導くことはできる。しかしインナーバッグはクッション部内で固定されていないことから、ガスが通過する勢いによってインナーバッグが暴れてしまい、安定したガスの供給を却って妨げてしまうおそれもあった。
【００１３】
そこで本発明は、クッション部の基布にインフレータを接続するための突出部を設けることを回避して生産効率を向上させると共に、インナーバッグの暴れを抑えて安定したガスの供給を図ることが可能なカーテンエアバッグを提供することを目的としている。
【課題を解決するための手段】
【００１４】
上記課題を解決するために、本発明の代表的な構成は、インフレータと、インフレータから噴出するガスをダクトを介して複数のチャンバに供給することにより車室側面に沿って膨張展開するクッション部とを備えたカーテンエアバッグにおいて、インフレータが噴出したガスをダクトに導くインナーバッグをさらに備え、インナーバッグは、インフレータが挿入され、かつインフレータのガス噴出口から出たガスを導くほぼ筒状の第１ガス導入部と、第１ガス導入部を通ってきたガスをダクトに導く両端が開口したほぼ筒状の第２ガス導入部を有し、クッション部のダクトには開口部が設けられていて、インナーバッグは開口部に差し込んで取り付けられていて、第１ガス導入部の主要部は開口部の外側に配置され、第２ガス導入部の主要部は開口部の内側に配置されていることを特徴とする。
【００１５】
上記構成によれば、クッション部に設けられた開口部からインナーバッグの第１ガス導入部が突出し、これにインフレータを取り付けることができる。したがってクッション部の基布には突出部がないため、ネスティングの効率が向上し、歩留まりが改善して、生産効率が向上する。またインナーバッグの第２ガス導入部が開口部の位置でクッション部本体に縫製されていることから、インナーバッグの取り付け位置から第２ガス導入部の自由端までの長さが短くなる。これによりインナーバッグの暴れを抑制することができ、安定してガスを供給することができる。
【００１６】
インナーバッグの側面であって、第１ガス導入部と第２ガス導入部のほぼ中間部分に、ダクトの長手方向とほぼ平行にインナーバッグから突出するリブ状の縫い代を設け、縫い代とクッション部を縫製することによって、インナーバッグをクッション部に接合することが好ましい。
【００１７】
上記のような取り付け構造とすることにより、先にインナーバッグを部品として製作してから、袋状のクッション部に接合させることができる。また、縫い代はインナーバッグの側面を折り返して形成することにより容易に設けることができ、かつ丈夫な構造とすることができる。
【００１８】
縫い代は、第２ガス導入部の側面に設けられていることが好ましい。これにより縫製位置から第２ガス導入部の反対側（自由端）までの長さを抑えることができ、インナーバッグの暴れを最も効果的に抑制することができる。
【００１９】
縫い代は、インナーバッグの両側の側面に一対設けられることが好ましい。これにより、インナーバッグの両側を頑丈にクッション部に接合することができる。
【００２０】
一対の縫い代は、インナーバッグの側面方向に投影した場合に、少なくとも一部が重なることが好ましい。さらには、一対の縫い代は、インナーバッグの側面方向に投影した場合にほぼ重なることが好ましい。これにより、噴出するガスによって膨張する方向に力がかかっても、確実に力を受けることができ、頑丈な構造とすることができる。
【００２１】
クッション部の開口部近傍に、インナーバッグの縫い代と対応するタブ状の被縫製部を設けてもよい。これにより縫製する際に被縫製部を縫い代に合わせて折り曲げることができ、作業が簡略となるため、生産効率の向上を図ることができる。
【００２２】
開口部は、クッション部においてダクトおよびチャンバを設けるための外周縫製の一部に縫製しない部分を設けることにより形成されていて、インナーバッグの第１ガス導入部と第２ガス導入部を区分する縫製は、クッション部においてダクトおよびチャンバを設けるための外周縫製の一部として為されてもよい。これにより縫製作業が簡略になると共に、インナーバッグ近傍の剛性が高くなって巻回ないし折り畳みをしにくくなることを防止することができる。
【００２３】
開口部は、クッション部を構成する２枚の基布の一方のダクトの位置にスリットを形成することにより設けられていてもよい。このような場合においても、上記のインナーバッグを好適に取り付けることができ、本発明の利益を得ることができる。
【発明の効果】
【００２４】
本発明によれば、クッション部の基布にインフレータを接続するための突出部を設けることを回避して生産効率を向上させると共に、インナーバッグの暴れを抑えて安定したガスの供給を図ることが可能なカーテンエアバッグを提供することができる。
【図面の簡単な説明】
【００２５】
【図１】第１実施形態にかかるカーテンエアバッグを例示する図である。
【図２】図１のインナーバッグを例示する図である。
【図３】図１のインナーバッグをクッション部に取り付ける手順を説明する図である。
【図４】図１のインナーバッグがクッション部に取り付けられた状態を例示する図である。
【図５】第２実施形態にかかるカーテンエアバッグを例示する図である。
【図６】図５のインナーバッグをクッション部に取り付ける手順を説明する図である。
【発明を実施するための形態】
【００２６】
以下に添付図面を参照しながら、本発明の好適な実施形態について詳細に説明する。
かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２７】
［第１実施形態］
図１は第１実施形態にかかるカーテンエアバッグを例示する図である。カーテンエアバッグ１００は、インフレータ１０８と、クッション部１１０とから構成される。クッション部１１０は、インフレータ１０８から噴出するガスを導くダクト１１２と、ダクト１１２に接続されてガスを供給される複数のチャンバ１１４を設けている。クッション部１１０は、インフレータ１０８からガスが噴出することによって車室側面に沿って膨張展開し、車両の衝突時や横転時に乗員を保護することを目的としている。
【００２８】
本実施形態においてクッション部１１０は、２枚の基布を縫製によって接合して構成したものとする。外周およびダクト１１２とチャンバ１１４の境界、チャンバ１１４同士の境界は縫製されている。
【００２９】
クッション部１１０は、インフレータ１０８が噴出したガスをダクト１１２に導くインナーバッグ１２０をさらに備えている。図２は図１のインナーバッグ１２０を例示する図である。インナーバッグ１２０は可撓性を有する材料で形成されていて、一例としてクッション部１１０と同じ基布を用いて形成することができる。
【００３０】
インナーバッグ１２０は、インフレータ１０８が挿入され、かつインフレータ１０８のガス噴出口から出たガスを導くほぼ筒状の第１ガス導入部１２２と、第１ガス導入部１２２を通ってきたガスをダクト１１２に導く両端が開口したほぼ筒状の第２ガス導入部１２４を有している。なお第１ガス導入部１２２が筒状になるのは、後述するようにインナーバッグ１２０がクッション部１１０に取り付けられた後である。第２ガス導入部１２４はダクト１１２内に、かつダクト１１２とほぼ平行に配置される。第１ガス導入部１２２は第２ガス導入部１２４に対して斜めに配置されていて、インフレータ１０８からの噴出ガスを円滑に第２ガス導入部１２４に導くように構成されている。
【００３１】
インナーバッグ１２０の側面であって、第１ガス導入部１２２と第２ガス導入部１２４のほぼ中間部分に、ダクト１１２の長手方向とほぼ平行にインナーバッグ１２０から突出するリブ状の縫い代１２８、１２９が設けられている。縫い代１２８、１２９は、インナーバッグ１２０の本体を折り畳み、縫製して固定することによって形成されている。この縫い代１２８、１２９とクッション部１１０を縫製することによって、インナーバッグ１２０をクッション部１１０に接合する。
【００３２】
上記のような取り付け構造とすることにより、先にインナーバッグ１２０を部品として製作してから、袋状のクッション部１１０に接合させることができる。また、縫い代１２８、１２９はインナーバッグ１２０の側面を折り返して形成することにより容易に設けることができ、かつ丈夫な構造とすることができる。
【００３３】
一方、クッション部１１０のダクト１１２には、開口部１１６が設けられている。開口部１１６は、クッション部１１０においてダクト１１２およびチャンバ１１４を設けるための外周縫製１３０の一部に縫製しない部分を設けることにより形成されている。また開口部１１６の近傍には、インナーバッグ１２０の縫い代１２８、１２９と対応する形状のタブ状の被縫製部１１８、１１９を設けている。
【００３４】
図３は図１のインナーバッグ１２０をクッション部１１０に取り付ける手順を説明する図である。まず図２に示した構造（形状）のインナーバッグ１２０を予め作成しておき、クッション部１１０も開口部１１６を残して外周縫製１３０を済ませておく。そして図３（ａ）に例示するように、インナーバッグ１２０を開口部１１６に差し込む。このとき、第１ガス導入部１２２の主要部（大部分）は開口部１１６の外側に配置され、第２ガス導入部１２４の主要部は開口部１１６の内側に配置される。
【００３５】
次に図３（ｂ）に例示するように、インナーバッグ１２０の縫い代１２８、１２９と開口部１１６の被縫製部１１８、１１９とを縫製する。これらを縫製する際には、インナーバッグから突出した第１ガス導入部１２２をクッション部１１０側に折り畳むことにより、縫い代１２８と被縫製部１１８、または縫い代１２９と被縫製部１１９のみを縫製することができる。ここで、被縫製部１１８、１１９がクッション部１１０の本体からタブ状に突出していることにより、縫製する際に容易に被縫製部１１８、１１９を縫い代１２８、１２９に合わせて折り曲げることができ、作業が簡略となるため、生産効率の向上を図ることができる。
【００３６】
そして図３（ｃ）に例示するように、一方側の縫い代１２８と被縫製部１１８を上側に折り畳み、他方側の縫い代１２９と被縫製部１１９を下側に折り畳む。いずれを上側または下側にするかは、逆の位置関係にしてもよい。このように反対側の縫い代１２８、１２９を逆方向に折り畳むのは、次の工程の縫製を考慮して、布の枚数が増えて縫いにくくなってしまうことを防ぐためである。
【００３７】
この状態で図３（ｄ）に例示するように、第１ガス導入部１２２の先端部を縫製１３２で封止すると共に、インナーバッグの第１ガス導入部と第２ガス導入部を区分する縫製１３４を行う。これにより第１ガス導入部１２２および第２ガス導入部１２４はそれぞれ筒状となる。
【００３８】
図４は、図１のクッション部１１０に取り付けられたインナーバッグ１２０を例示する図である。筒状に形成された第１ガス導入部１２２の先端にはインフレータ１０８が挿入され、環状のリングでかしめて固定される。このとき、インフレータ１０８の側面に設けられているガス噴出口１０８ａが、リング１３６よりも内側に入るように配置される。
上記説明したように、本実施形態にかかる構成によれば、クッション部１１０に設けられた開口部１１６からインナーバッグ１２０の第１ガス導入部１２２が突出し、これにインフレータ１０８を取り付けることができる。したがってクッション部１１０の基布には突出部がないため、ネスティングの効率が向上し、歩留まりが改善して、生産効率が向上する。
【００３９】
また、インナーバッグ１２０の第２ガス導入部１２４が開口部１１６の位置でクッション部１１０の本体に縫製されていることから、縫製位置から第２ガス導入部１２４の反対側（自由端）までの長さが短くなる。これによりインナーバッグ１２０の暴れを抑制することができ、安定してガスを供給することができる。
【００４０】
以上説明したように、本実施形態にかかるカーテンエアバッグ１００によれば、クッション部１１０の基布にインフレータ１０８を接続するための突出部を設けることを回避して生産効率を向上させると共に、インナーバッグ１２０の暴れを抑えて安定したガスの供給を図ることができる。
【００４１】
また、縫い代１２８、１２９は、第１ガス導入部１２２の側面に設けることも考えられる。しかし、上記のように第２ガス導入部１２４の側面（さらにいえば、第２ガス導入部１２４と第１ガス導入部１２２の境界上）に設けられていることが好ましい。これにより縫製位置から第２ガス導入部１２４の反対側（自由端）までの長さを最小限にすることができ、インナーバッグの暴れを最も効果的に抑制することができる。
【００４２】
縫い代１２８、１２９は、インナーバッグ１２０の側面の片側のみに設けてもよいが、両側の側面に一対設けられることが好ましい。これにより、インナーバッグ１２０の両側を頑丈にクッション部１１０に接合することができる。
【００４３】
特に、図２に示したインナーバッグ１２０では左右対称形となっている。換言すれば、一対の縫い代１２８、１２９は、インナーバッグ１２０の側面方向に投影した場合にほぼ重なっている。これにより、噴出するガスによって膨張する方向に力がかかっても、確実に力を受けることができ、頑丈な構造とすることができる。ただし必ずしも左右対称形でなくてもよく、一対の縫い代１２８、１２９をインナーバッグ１２０の側面方向に投影した場合に、少なくとも一部が重なっていればよい。これにより、ガスが噴出する際に必要な強度を得ることができる。
【００４４】
また、図３の説明において、クッション部１１０に予め外周縫製１３０を行って、開口部１１６を形成しておくように説明した。しかし、まずクッション部１１０の２枚の基布に先にインナーバッグ１２０を取り付けて、第１ガス導入部１２２の先端の縫製１３２と、第１ガス導入部と第２ガス導入部を区分する縫製１３４を、外周縫製１３０の一部として為してもよい。これにより縫製作業が簡略になると共に、インナーバッグ１２０近傍の巻回ないし折り畳みをしにくくなることを防止することができる。
【００４５】
また、上記説明ではクッション部１１０を２枚の基布を縫製によって接合して構成したものと説明した。しかし、クッション部１１０をＯＰＷを用いて紡織により袋状に形成した場合であっても、上記と全く同様に、開口部１１６を設けてインナーバッグ１２０を取り付けることができる。そしてこの場合にも、従来のような突出部がないことにより、他のクッション部と組み合わせやすくなるため歩留まりが向上し、無駄なスペースが削減できるためより多くのクッション部を取ることができ、生産効率を向上させることができる。
【００４６】
［第２実施形態］
図５は第２実施形態にかかるカーテンエアバッグを例示する図である。本実施形態においてエアバッグ１４０には、エアバッグ１４０を構成する２枚の基布の一方のダクト１１２の位置にスリットを形成することにより開口部１４２が設けられている。このような場合においても、インナーバッグを好適に取り付けることができ、第１実施形態と同様の利益を得ることができる。
【００４７】
図５に例示するインナーバッグ１５０は、上記第１実施形態で説明したインナーバッグ１２０とほぼ同じ形状であって、第１ガス導入部１５２、第２ガス導入部１５４、および縫い代１５８、１５９を備えている。ただし、図１等に例示した第１実施形態のインナーバッグ１２０と異なる点として、第２ガス導入部１５４のダクト方向の長さが縫い代１５８、１５９よりも若干短い。またインナーバッグ１５０では、エアバッグ１４０に取り付ける前に、あらかじめ第１ガス導入部１５２の先端の縫製１３２と、第１ガス導入部と第２ガス導入部を区分する縫製１３４を為しておく。
【００４８】
図６は図５のインナーバッグ１５０をエアバッグ１４０に取り付ける手順を説明する図である。まず、エアバッグ１４０を構成する２枚の基布は、まだ外周縫製１３０によって接合されていないものとする。そして図６（ａ）に例示するように、開口部１４２が設けられている側の１枚の基布１４０ａに対し、開口部１４２にインナーバッグ１５０の第２ガス導入部１５４を挿入する。縫い代１５８、１５９は開口部１４２の縁に沿った状態になる。
【００４９】
そして図６（ｂ）に例示するように、第１ガス導入部１５２および第２ガス導入部１５４を同じ方向（下方）に折り畳み、一方の縫い代１５９のみが基布１４０ａと重なった状態でこれを縫製する。
【００５０】
次に図６（ｃ）に例示するように、第１ガス導入部１５２および第２ガス導入部１５４を両方とも反対側（上方）に折り返し、他方の縫い代１５８のみが基布１４０ａと重なった状態でこれを縫製する。このとき、縫い代１５８のみを縫製するのではなく、インナーバッグ１５０の前後の端部（すなわち開口部１４２の両端）も縫製する。一例として、図６（ｃ）に例示するように、コの字型に縫製する。これにより第１ガス導入部１５２から外部へのガスの漏れを封止することができる。このとき、第２ガス導入部１５４のダクト方向の長さが縫い代１５８、１５９よりも若干短いことにより、第２ガス導入部１５４の両端の開口が縫製により塞がれてしまうことはない。
【００５１】
インナーバッグ１５０を基布１４０ａに取り付けたら、図６（ｄ）に例示するように、開口部１４２が設けられていない基布１４０ｂを外周縫製１３０によって接合し、ダクト１１２およびチャンバ１１４を形成する。
【００５２】
上記説明した構造および手順によれば、エアバッグの端部（縁部）ではなく、エアバッグの側面にインフレータ１０８を接続する構造においても、インナーバッグ１５０を取り付けることが可能である。なお、エアバッグの側面にインフレータ１０８を接続すると、インフレータ１０８より上方に膨張する部分を作ることができるため、展開時の挙動に自由度を増すことができる。したがって、このようなエアバッグ１４０に対しても本発明を適用することにより、さらに性能の高いカーテンエアバッグを提供することが可能となる。
【００５３】
なお、上記実施形態において、インナーバッグ１２０の第１ガス導入部１２２は第２ガス導入部１２４に対して斜めに配置されていると説明した。しかし本発明はこれに限定するものではなく、第１ガス導入部１２２と第２ガス導入部１２４がほぼ平行に配置されていてもよい。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、ダクトとチャンバを設けたクッション部とこれを膨張展開させるインフレータとを備えたカーテンエアバッグとして利用することができる。
【符号の説明】
【００５６】
１００…カーテンエアバッグ、１０８…インフレータ、１０８ａ…ガス噴出口、１１０…クッション部、１１２…ダクト、１１４…チャンバ、１１６…開口部、１１８…被縫製部、１１９…被縫製部、１２０…インナーバッグ、１２２…第１ガス導入部、１２４…第２ガス導入部、１２８…縫い代、１２９…縫い代、１３０…外周縫製、１３２…縫製、１３４…縫製、１４０…エアバッグ、１４０ａ…基布、１４０ｂ…基布、１４２…開口部、１５０…インナーバッグ、１５２…第１ガス導入部、１５４…第２ガス導入部、１５８…縫い代、１５９…縫い代
【図１】
0005520749.tif 000002
【図２】
0005520749.tif 000003
【図３】
0005520749.tif 000004
【図４】
0005520749.tif 000005
【図５】
0005520749.tif 000006
【図６】
0005520749.tif 000007